【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
内部にキーボードを有する第１ケースと内部に表示部を有する第２ケースとがヒンジ部によって開閉可能に連結されて互いに重なり合う電子機器において、
前記第２ケースの外表面に装着される装飾用のカバー部材を備え、
前記第２ケースの前記ヒンジ部と反対側に位置する先端側の側面には第１係止部が、前記第２ケースの前記ヒンジ部側に位置する両側に第２係止部がそれぞれ設けられ、
前記第２ケースの前記第１係止部に対応する前記カバー部材の先端側には第１係合部が、前記第２ケースの前記第２係止部に対応する前記カバー部材の前記ヒンジ部側の両側には第２係合部がそれぞれ設けられ、
前記第２ケースの第１係止部に対応する前記カバー部材の第１係合部は、前記第２ケースの第１係止部を覆う半円形状の凸部の内側に第１係止部が嵌合する凹部が形成された凸形状部を有し、
前記第２ケースにそれぞれ設けられた第１係止部及び第２係止部と前記カバー部材にそれぞれ設けられた第１係合部及び第２係合部とを係脱可能に係合させることにより、前記カバー部材を前記第２ケースの外表面に着脱可能に装着し、
前記第１係止部及び前記第２係止部は、装飾性を有する形状に形成されており、
前記第１係止部は、前記カバー部材の第１係合部に契合する凸形状部を有することを特徴する電子機器。
【請求項２】
前記第２係止部は前記ヒンジ部側に位置する前記第２ケースの両側の各側面に設けられ、前記第２係合部は前記ヒンジ部側に位置する前記カバー部材の両側の各側面に設けられ、前記第２係止部の一部と前記第２係合部の一部とのいずれか一方は、その両者の係脱方向に弾性変位するばね性を有していることを特徴とする請求項１に記載の電子機器。
【請求項３】
前記第２ケースの外表面には装飾部が設けられ、前記カバー部材には前記第２ケースの前記装飾部に対応する開口部が設けられていることを特徴とする請求項１〜２のいずれかに記載の電子機器。
【請求項４】
前記第２ケースの外表面には装飾部が設けられ、前記カバー部材には前記第２ケースの前記装飾部に対応する窓部が設けられていることを特徴とする請求項１〜２のいずれかに記載の電子機器。
【請求項５】
前記装飾部には、記号や図形、模様などの装飾が施されていることを特徴とする請求項３〜４のいずれかに記載の電子機器。
【請求項６】
前記カバー部材は透明な合成樹脂で形成されていることを特徴する請求項１〜２のいずれかに記載の電子機器。
【請求項７】
２つのケースがヒンジ部によって開閉可能に連結された電子機器において、
前記２つのケースのうち、少なくとも一方のケースの外表面に装着される装飾用のカバー部材を備え、
前記一方のケースに設けられた係止部と前記カバー部材に設けられた係合部とを係脱可能に係合させることにより、前記カバー部材を前記一方のケースの外表面に着脱可能に装着し、
前記係止部は前記一方のケースの前記先端側に位置する両側面と前記ヒンジ部側に位置する両側とにそれぞれ設けられ、前記係合部は前記カバー部材の前記先端側に位置する両側面と前記ヒンジ部側に位置する両側とにそれぞれ設けられ、前記一方のケースに設けられた前記先端側の両側面の前記係止部と前記カバー部材に設けられた前記先端側の両側面の前記係合部とが回動可能に係合することを特徴する電子機器。
【請求項８】
前記一方のケースの外表面に対向する前記カバー部材の内面には、ミラーが設けられていることを特徴する請求項７に記載の電子機器。
【請求項９】
内部にキーボードを有する第１ケースと内部に表示部を有する第２ケースとがヒンジ部によって開閉可能に連結されて互いに重なり合う電子機器の前記第２ケースの外表面に装着されるカバー部材であって、
前記第２ケースの前記ヒンジ部と反対側に位置する先端側の側面に設けられた装飾性を有する凸形の形状の第１係止部に対応する前記カバー部材の先端側の側面に当該第１係止部が嵌合する凹部が形成された凸形の第１係合部が設けられ、
前記第２ケースの前記ヒンジ部側に位置する両側に設けられた装飾性を有する第２係止部に対応する前記カバー部材の前記ヒンジ部側に位置する両側に第２係合部がそれぞれ設けられて、この第１契合部及び第２係合部を前記第２ケースの第１係止部及び第２係止部に係合させることにより、前記第２ケースの外表面に着脱可能に装着されることを特徴とするカバー部材。
【請求項１０】
前記第２ケースにおける外表面の一部に対応する装飾用の開口部が設けられていることを特徴とする請求項９に記載のカバー部材。
【請求項１１】
前記第２ケースにおける外表面の一部に対応する装飾用の窓部が設けられていることを特徴とする請求項９に記載のカバー部材。
【請求項１２】
前記第２ケースにおける外表面の前記一部は、記号や図形、模様などの装飾が施された装飾部に形成されていることを特徴とする請求項１０〜１１のいずれかに記載のカバー部材。
【請求項１３】
互いに重なり合う２つのケースがヒンジ部によって開閉可能に連結された電子機器において、
前記２つのケースのうち、少なくとも一方のケースに重なり合って前記一方のケースの外表面を覆った状態で装着されるほぼ平板状のカバー部材と、
このカバー部材内に収納された機能増設用の電子部品と、
前記一方のケースと前記カバー部材とを係脱可能に係合すると共に前記一方のケース内の電子回路と前記カバー部材内の電子回路とを電気的に接続して、前記カバー部材を前記一方のケースに着脱可能に取り付ける複数の接続連結部材と
を備えたことを特徴とする電子機器。
【請求項１４】
前記接続連結部材は、前記一方のケース内の前記電子回路と電気的に接続された状態で前記一方のケース内にその側面から出没可能に設けられた接続係止部と、前記カバー部材内の前記電子回路と電気的に接続された状態で前記カバー部材の側面に設けられて前記接続係止部が係脱可能に係合して電気的に接続する接続係合部とを備えていることを特徴とする請求項１３に記載の電子機器。
【請求項１５】
前記一方のケースにおける前記ヒンジ部と反対側に位置する先端側の側面には係止部が設けられ、前記カバー部材における先端側の側面には前記係止部が係脱可能に係合する係合部が設けられていることを特徴とする請求項１３に記載の電子機器。
【請求項１６】
前記電子部品は、表示機能、テレビチューナ機能、スピーカ機能、電源機能、カメラ機能、プリンタ機能、スキャナ機能などの機能を構成する各種の部品のいずれかであることを特徴とする請求項１３に記載の電子機器。
【手続補正２】
【補正対象書類名】明細書
【補正対象項目名】０００６
【補正方法】変更
【補正の内容】
【０００６】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１８に示すように、内部にキーボード（５）を有する第１ケース（１）と内部に表示部（６）を有する第２ケース（２）とがヒンジ部（３）によって開閉可能に連結されて互いに重なり合う電子機器において、
前記第２ケースの外表面に装着される装飾用のカバー部材（４）を備え、前記第２ケースの前記ヒンジ部と反対側に位置する先端側の側面には第１係止部（１１）が、前記第２ケースの前記ヒンジ部側に位置する両側に第２係止部（１２）がそれぞれ設けられ、前記第２ケースの前記第１係止部（１１）に対応する前記カバー部材の先端側には第１係合部（１３）が、前記第２ケースの前記第２係止部（１２）に対応する前記カバー部材の前記ヒンジ部側の両側には第２係合部（１４）がそれぞれ設けられ、前記第２ケースの第１係止部（１１）に対応する前記カバー部材の第１係合部（１３）は、前記第２ケースの第１係止部（１１）を覆う半円形状の凸部の内側（図５；１３ａ）に第１係止部が嵌合する凹部が形成された凸形状部を有し、前記第２ケースにそれぞれ設けられた第１係止部及び第２係止部と前記カバー部材にそれぞれ設けられた第１係合部及び第２係合部とを係脱可能に係合させることにより、前記カバー部材を前記第２ケースの外表面に着脱可能に装着し、前記第１係止部（１１）及び前記第２係止部（１２）は、装飾性を有する形状に形成されており、前記第１係止部（１１）は、前記カバー部材の第１係合部（１３）に契合する凸形状部を有することを特徴する電子機器である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項２に記載の発明は、図１７〜図１８に示すように、前記第２係止部（１２）は前記ヒンジ部側に位置する前記第２ケースの両側の各側面に設けられ、前記第２係合部（１４）は前記ヒンジ部側に位置する前記カバー部材の両側の各側面に設けられ、前記第２係止部（１２）の一部と前記第２係合部（１４）の一部とのいずれか一方は、その両者の係脱方向に弾性変位するばね性（コイルばね２３）を有していることを特徴とする請求項１に電子機器である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項３に記載の発明は、図７〜図１４に示すように、前記第２ケース（２）の外表面には装飾部が設けられ、前記カバー部材には前記第２ケース（２）の前記装飾部に対応する開口部（２０２，２０６）が設けられていることを特徴とする請求項１〜２のいずれかに記載の電子機器である。
【手続補正９】
【補正対象書類名】明細書
【補正対象項目名】００１３
【補正方法】変更
【補正の内容】
【００１３】
請求項４に記載の発明は、図１５および図１６に示すように、前記第２ケース（２）の外表面には装飾部（２０７）が設けられ、前記カバー部材には前記第２ケースの前記装飾部に対応する窓部（２０８）が設けられていることを特徴とする請求項１〜２のいずれかに記載の電子機器である。    
【手続補正１０】
【補正対象書類名】明細書
【補正対象項目名】００１４
【補正方法】変更
【補正の内容】
【００１４】
請求項５に記載の発明は、図７〜図１６に示すように、前記装飾部（２０１、２０５、２０７）に、記号や図形、模様などの装飾が施されていることを特徴とする請求項３〜４に記載の電子機器である。
【手続補正１１】
【補正対象書類名】明細書
【補正対象項目名】００１５
【補正方法】変更
【補正の内容】
【００１５】
請求項６に記載の発明は、図３０〜図３２に示すように、前記カバー部材（５０）が透明な合成樹脂で形成されていることを特徴する請求項１〜２のいずれかに記載の電子機器である。
【手続補正１２】
【補正対象書類名】明細書
【補正対象項目名】００１６
【補正方法】変更
【補正の内容】
【００１６】
請求項７に記載の発明は、図３３〜図３５に示すように、２つのケースがヒンジ部によって開閉可能に連結された電子機器において、前記２つのケースのうち、少なくとも一方のケースの外表面に装着される装飾用のカバー部材を備え、前記一方のケースに設けられた係止部と前記カバー部材に設けられた係合部とを係脱可能に係合させることにより、前記カバー部材を前記一方のケースの外表面に着脱可能に装着し、前記係止部（係止突起５５、５６）が前記一方のケース（第２ケース２）の前記先端側に位置する両側面（２ｃ）と前記ヒンジ部（３）側に位置する両側（各側面２ｃ、平面２ａの両側付近）とにそれぞれ設けられ、前記係合部（５７、５８）が前記カバー部材（４）の前記先端側に位置する両側面（各側面４ｃ）と前記ヒンジ部側に位置する両側（各側面４ｃ、平面部４ａの両側付近）とにそれぞれ設けられ、前記一方のケースに設けられた前記先端側の両側面（各側面２ｃ）の前記係止部（５５）と前記カバー部材に設けられた前記先端側の両側面（各側面４ｃ）の前記係合部（５７）とが回動可能に係合することを特徴する電子機器である。  
【手続補正１３】
【補正対象書類名】明細書
【補正対象項目名】００１７
【補正方法】変更
【補正の内容】
【００１７】
請求項８に記載の発明は、図３３〜図３５に示すように、前記一方のケース（第２ケース２）の外表面に対向する前記カバー部材（４）の内面に、ミラー（５９）が設けられていることを特徴する請求項７に記載の電子機器である。
【手続補正１４】
【補正対象書類名】明細書
【補正対象項目名】００１８
【補正方法】変更
【補正の内容】
【００１８】
請求項９に記載の発明は、図７〜図１６に示すように、内部にキーボード（５）を有する第１ケース（１）と内部に表示部（６）を有する第２ケース（２）とがヒンジ部（３）によって開閉可能に連結されて互いに重なり合う電子機器の前記第２ケース（２）の外表面に装着されるカバー部材（４）であって、
前記第２ケースの前記ヒンジ部と反対側に位置する先端側の側面に設けられた装飾性を有する凸形の形状の第１係止部（１１）に対応する前記カバー部材の先端側の側面に当該第１係止部が嵌合する凹部が形成された凸形の第１係合部（１３）が設けられ、
前記第２ケースの前記ヒンジ部側に位置する両側に設けられた装飾性を有する第２係止部（１２）に対応する前記カバー部材の前記ヒンジ部側に位置する両側に第２係合部（１４）がそれぞれ設けられて、この第１契合部及び第２係合部を前記第２ケースの第１係止部及び第２係止部に係合させることにより、前記第２ケースの外表面に着脱可能に装着されることを特徴とするカバー部材である。
【手続補正１５】
【補正対象書類名】明細書
【補正対象項目名】００１９
【補正方法】変更
【補正の内容】
【００１９】
請求項１０に記載の発明は、図７〜図１４に示すように、前記第２ケース（２）における外表面の一部に対応する装飾用の開口部（２０２、２０６）が設けられていることを特徴とする請求項９に記載のカバー部材である。
【手続補正１６】
【補正対象書類名】明細書
【補正対象項目名】００２０
【補正方法】変更
【補正の内容】
【００２０】
請求項１１に記載の発明は、図１５および図１６に示すように、前記第２ケース（２）における外表面の一部に対応する装飾用の窓部（２０８）が設けられていることを特徴とする請求項９に記載のカバー部材である。
【手続補正１７】
【補正対象書類名】明細書
【補正対象項目名】００２１
【補正方法】変更
【補正の内容】
【００２１】
請求項１２に記載の発明は、図７〜図１６に示すように、前記第２ケース（２）における外表面の前記一部は、記号や図形、模様などの装飾が施された装飾部（２０１、２０５、２０７）に形成されていることを特徴とする請求項１０または１１に記載のカバー部材である。
【手続補正１８】
【補正対象書類名】明細書
【補正対象項目名】００２２
【補正方法】変更
【補正の内容】
【００２２】
請求項１３に記載の発明は、図４０〜図４８に示すように、互いに重なり合う２つのケース（第１、第２ケース１０１、１０２）がヒンジ部（１０３）によって開閉可能に連結された電子機器において、前記２つのケースのうち、少なくとも一方のケース（第２ケース１０２）に重なり合って前記一方のケースの外表面を覆った状態で装着されるほぼ平板状のカバー部材（カバーケース１０４）と、このカバー部材内に収納された機能増設用の電子部品（補助表示部１１２、スピーカ１３６）と、前記一方のケースと前記カバー部材とを係脱可能に係合すると共に前記一方のケース内の電子回路と前記カバー部材内の電子回路とを電気的に接続して、前記カバー部材を前記一方のケースに着脱可能に取り付ける複数の接続連結部材（１５）とを備えたことを特徴とする電子機器である。
【手続補正１９】
【補正対象書類名】明細書
【補正対象項目名】００２３
【補正方法】変更
【補正の内容】
【００２３】
請求項１４に記載の発明は、図４０〜図４６に示すように、前記接続連結部材（１５）が、前記一方のケース（第２ケース１０２）内の前記電子回路と電気的に接続された状態で前記一方のケース内にその側面（１０２ｃ）から出没可能に設けられた接続係止部（１１７）と、前記カバー部材（カバーケース１０４）内の前記電子回路と電気的に接続された状態で前記カバー部材の側面（側面部１０４ｃ）に設けられて前記接続係止部が係脱可能に係合して電気的に接続する接続係合部（１１８）とを備えていることを特徴とする請求項１３に記載の電子機器である。
【手続補正２０】
【補正対象書類名】明細書
【補正対象項目名】００２４
【補正方法】変更
【補正の内容】
【００２４】
請求項１５に記載の発明は、図４０〜図４６に示すように、前記一方のケース（第２ケース１０２）における前記ヒンジ部（１０３）と反対側に位置する先端側の側面（１０２ｂ）には係止部（係止突起１２６）が設けられ、前記カバー部材（カバーケース１０４）における先端側の側面（側面部１０４ｂ）には前記係止部が係脱可能に係合する係合部（係合突起１２７）が設けられていることを特徴とする請求項１３に記載の電子機器である。
【手続補正２１】
【補正対象書類名】明細書
【補正対象項目名】００２５
【補正方法】変更
【補正の内容】
【００２５】
請求項１６に記載の発明は、前記電子部品が、表示機能、テレビチューナ機能、スピーカ機能、電源機能、カメラ機能、プリンタ機能、スキャナ機能などの機能を構成する各種の部品のいずれかであることを特徴とする請求項１３に記載の電子機器である。
【手続補正２２】
【補正対象書類名】明細書
【補正対象項目名】００２６
【補正方法】変更
【補正の内容】
【００２６】
請求項１に記載の発明によれば、ヒンジ部によって開閉可能に連結された第１、第２ケースのうち、装飾用のカバー部材に設けられた第１、第２係合部と、表示部（６）を有する第２ケースに設けられた第１、第２係止部とを係脱可能に係合させて、カバー部材を第２ケースの外表面に着脱可能に装着しているので、装飾用のカバー部材を自由に取り外して交換することができ、これにより使用者の好みに応じて色彩や絵柄などのデザインを自由に変更することができる。また、前記第１係止部及び前記第２係止部は、装飾性を有する形状に形成されているので、カバー部材を第２ケースからはずした状態の外観が良好であり、カバー部材を第２ケースからはずして電子機器を利用することができる。
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】変更
【補正の内容】
【００２９】
請求項２に記載の発明によれば、第２ケースの第２係止部とカバー部材の第２係合部とのいずれか一方がその両者の係脱方向に弾性変位するばね性を有しているので、そのばね力で係止部と係合部とを確実に係合させることができると共に、係止部と係合部との一方のばね力に抗して係止部と係合部との係合を解除することにより、簡単にカバー部材を一方のケースから取り外すことができ、これにより第２ケースに対するカバー部材の着脱作業性の向上を図ることができる。
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】変更
【補正の内容】
【００３２】
請求項３に記載の発明は、図７〜図１４に示すように、前記第２ケース（２）の外表面には装飾部が設けられ、前記カバー部材には前記第２ケース（２）の前記装飾部に対応する開口部（２０２，２０６）が設けられていることを特徴とする請求項１〜２のいずれかに記載の電子機器である。
【手続補正２９】
【補正対象書類名】明細書
【補正対象項目名】００３３
【補正方法】変更
【補正の内容】
【００３３】
請求項４に記載の発明によれば、第２ケースの外表面に装飾部が設けられ、この第２ケースに装着されるカバー部材に窓部が装飾部に対応して設けられていることにより、カバー部材を第２ケースの外表面に装着すると、カバー部材の窓部が第２ケースの装飾部に対応し、このカバー部材の窓部を通して第２ケースの装飾部をカバー部材の外部から見ることができるので、請求項３に記載の発明と同様、カバー部材の窓部によってアクセントとしての装飾効果を得ることができるほか、第２ケースの装飾部による装飾効果をも得ることができるので、装飾性の高いものを得ることができる。
【手続補正３０】
【補正対象書類名】明細書
【補正対象項目名】００３４
【補正方法】変更
【補正の内容】
【００３４】
請求項５に記載の発明によれば、カバー部材を一方のケースの外表面に装着しても、カバー部材の開口部または窓部を通して装飾部を外部から見ることができるため、装飾部に、記号や図形、模様などの装飾が施されていると、この装飾部によって、より一層、装飾効果を高めることができる。
【手続補正３１】
【補正対象書類名】明細書
【補正対象項目名】００３５
【補正方法】変更
【補正の内容】
【００３５】
請求項６に記載の発明によれば、カバー部材が透明な合成樹脂で形成されていることにより、カバー部材と一方のケースとの間に写真やカレンダなどの装飾シート（５１）を挟んで使用することができ、これにより使用者が独自の好みのもを得ることができ、パーソナリティの高いものを得ることができる。
【手続補正３２】
【補正対象書類名】明細書
【補正対象項目名】００３６
【補正方法】変更
【補正の内容】
【００３６】
請求項７に記載の発明によれば、一方のケースの係止部（５５、５６）とカバー部材の係合部（５７、５８）とをそれぞれ係合させることにより、カバー部材を一方のケースに着脱可能に取り付けることができるほか、特に一方のケースに設けられた先端側の両側面の係止部（５５）とカバー部材に設けられた先端側の両側面の係合部（５７）とが回動可能に係合していることにより、カバー部材を一方のケースに着脱可能に取り付け状態で、カバー部材のヒンジ部側の係合部（５８）を一方のケースのヒンジ部側の係止部（５６）から離脱させると、カバー部材の先端側の係合部（５７）と一方のケースの先端側の係止部（５５）とを中心にカバー部材をケースに対し回動させて開閉させることができる。
【手続補正３３】
【補正対象書類名】明細書
【補正対象項目名】００３７
【補正方法】変更
【補正の内容】
【００３７】
請求項８に記載の発明によれば、一方のケースの外表面に対向するカバー部材の内面にミラーを設けたことにより、請求項１２に記載の発明のごとく、カバー部材の先端側の係合部と一方のケースの先端側の係止部とを中心にカバー部材をケースに対し回動させて開くと、カバー部材の内面に設けられたミラーが露出するので、化粧用コンパクトのミラーとして使用することができ、これにより用途の広いものを得ることができる。
【手続補正３４】
【補正対象書類名】明細書
【補正対象項目名】００３８
【補正方法】変更
【補正の内容】
【００３８】
請求項９に記載の発明によれば、ヒンジ部によって開閉可能に連結された第１、第２ケースのうち、表示部（６）を有する第２ケースの外表面に装着されるカバー部材に、第２ケースの第１、第２係止部に係脱可能に係合する第１、第２係合部を設け、このカバー部材の係合部を一方のケースの第１、第２係止部に係合させることにより、カバー部材を第２ケースの外表面に着脱可能に装着するので、請求項１に記載の発明と同様、カバー部材を自由に取り外して交換することができ、これにより使用者の好みに応じてカバー部材による色彩や絵柄などのデザインを自由に変更することができる。
【手続補正３５】
【補正対象書類名】明細書
【補正対象項目名】００３９
【補正方法】変更
【補正の内容】
【００３９】
請求項１０に記載の発明によれば、カバー部材に装飾用の開口部を第２ケースにおける外表面の一部に対応させて設けたことにより、カバー部材を第２ケースの外表面に装着すると、カバー部材の装飾用の開口部を通してケースの一部を見ることができるので、カバー部材の開口部によってアクセントとしての装飾効果を得ることができ、これにより装飾性の高いものを得ることができる。
【手続補正３６】
【補正対象書類名】明細書
【補正対象項目名】００４０
【補正方法】変更
【補正の内容】
【００４０】
請求項１１に記載の発明によれば、カバー部材に装飾用の窓部を第２ケースにおける外表面の一部に対応させて設けたことにより、カバー部材を第２ケースの外表面に装着すると、カバー部材の装飾用の窓部を通して第２ケースの一部を見ることができるので、カバー部材の窓部によってアクセントとしての装飾効果を得ることができ、これにより装飾性の高いものを得ることができる。
【手続補正３７】
【補正対象書類名】明細書
【補正対象項目名】００４１
【補正方法】変更
【補正の内容】
【００４１】
請求項１２に記載の発明によれば、カバー部材の開口部または窓部が対応する第２ケースにおける外表面の一部が、記号や図形、模様などの装飾が施された装飾部に形成されていることにより、カバー部材を第２ケースの外表面に装着しても、カバー部材の開口部または窓部を通して第２ケースの外表面の一部を外部から見ることができるため、第２ケースの一部が装飾部であることにより、この装飾部によって、より一層、装飾効果を高めることができる。
【手続補正３８】
【補正対象書類名】明細書
【補正対象項目名】００４２
【補正方法】変更
【補正の内容】
【００４２】
請求項１３に記載の発明によれば、２つのケースのうち、少なくとも一方のケースの外表面を覆って機能増設用の電子部品を収納したほぼ平板状のカバー部材を重ね合わせ、この状態で複数の接続連結部材が一方のケースの電子回路とカバー部材の電子回路とを電気的に接続した状態で、一方のケースにカバー部材を着脱可能に取り付けるので、簡単に機能を増設することができると共に、カバー部材が一方のケースの側方に突出すことがなく、一方のケースにその外表面を覆って重なり合うので、機能を増設しても外観を損なうことなく機器全体がコンパクトになり、このため携帯時および使用時のいずれにおいても、カバー部材が邪魔にならず、使い勝手の良いものを得ることができる。
【手続補正３９】
【補正対象書類名】明細書
【補正対象項目名】００４３
【補正方法】変更
【補正の内容】
【００４３】
請求項１４に記載の発明によれば、一方のケースの外表面を覆ってカバー部材を重ね合わせると、一方のケースの接続係止部がカバー部材の接続係合部に係脱可能に係合するので、一方のケースとカバー部材とを結合させることができると共に、これと同時に一方のケースの電子回路とカバー部材の電子回路とを電気的に接続することができ、しかも接続連結部材の接続係止部が一方のケース内にその側面から出没可能に設けられているので、一方のケースとカバー部材との着脱作業が容易にできるばかりか、接続連結部材を接続係止部と接続係合部とで構成したので、その構造が簡単で、部品点数も少なく、低コスト化をも図ることができる。
【手続補正４０】
【補正対象書類名】明細書
【補正対象項目名】００４４
【補正方法】変更
【補正の内容】
【００４４】
請求項１５に記載の発明によれば、一方のケースにカバー部材を取り付けるときに、一方のケースの先端側に位置する係止部にカバー部材の先端側に位置する係合部を引っ掛けることにより、一方のケースに対しカバー部材を位置規制することができ、この状態でカバー部材を一方のケースに向けて回動させてカバー部材を一方のケースに重ね合わせることにより、一方のケースを覆った状態でカバー部材を装着することができるので、一方のケースに対するカバー部材の取付作業性の向上を図ることができる。
【手続補正４１】
【補正対象書類名】明細書
【補正対象項目名】００４５
【補正方法】変更
【補正の内容】
【００４５】
請求項１６に記載の発明によれば、一方のケースに装着されるカバー部材を交換することにより、表示機能、テレビチューナ機能、スピーカ機能、電源機能、カメラ機能、プリンタ機能、スキャナ機能などの機能のうち、いずれかの機能を増設することができ、これにより使用者が所望する機能を増設することができるので、使い勝手の良いものを得ることができる。